(57)【特許請求の範囲】
【請求項１】
引戸の閉鎖時相互に突き当たる引戸の戸先框及び戸枠の一方に装着される箱状のホルダと、他方に装着されるスリット付の受板とを有し、このホルダ内に、引戸走行方向に延在し、受板側の先端に上記受板のスリットに係入可能な鈎部を形成すると共に、後端にリリースレバーを装着したラッチ杆を、その長さ方向に沿う軸線の回りを回動可能に案内し、一方、受板側から見てこのラッチ杆を時計方向或いは反時計方向の一方に付勢し、他方、ホルダ内に、先端にラッチ杆の先端部を収納する偏平部を形成した鞘部材を設け、この鞘部材を、内側にラッチ杆を同軸に収納した状態でラッチ杆の長さ方向に一定量移動可能に案内すると共に受板方向に付勢し、以て、引戸が閉鎖されていない常態において鞘部材を最大限ホルダから突出させ、また、ラッチ杆の鉤部を鞘部材の扁平部に係合させてラッチ杆に回り止めを施し、引戸閉鎖時、ラッチ杆の鉤部をスリット内に挿入させた状態で鞘部材をホルダ内に押し込むことにより、上記鉤部を鞘部材の扁平部から解放して受板の裏側で一定量回動させてラッチ杆を受板に係止し、同時にラッチ杆の後端のリリースレバーを室内側に振り出すようにしたことを特徴とする引戸のラッチ機構。
【発明の詳細な説明】
【技術分野】
【０００１】
この発明は、新規な引戸のラッチ機構（以下単にラッチ機構という）に係り、特に、構造が簡単で操作が容易なラッチ機構に関する。
【背景技術】
【０００２】
ラッチ機構は、別の言葉で言えば仮締り錠のことで、提案されたものは数少ないが、下記特許文献１及び２にその一例が示されている。
【特許文献１】特公昭６０−０２６９１４号
【特許文献２】特開平１０−１３１５８７号
【発明の開示】
【発明が解決しようとする課題】
【０００３】
周知のように、蝶番に支持された所謂スイング扉は、傾斜面を備えたラッチボルトによるラッチ機構が一般的であり、かつ容易にスイング扉に装着することができる。
【０００４】
しかしながら、引戸のラッチ機構は、必要であると皆が認識しているにも拘らず、現在実用されているものは無いと言っても過言ではなく、その理由は、扉の自由側端縁が戸枠を掠めるように動くスイング扉と異なり、引戸の場合は閉扉時例えば戸先框と戸枠が単に当接するだけなので、ラッチ機構を働かせるための相対運動が存在しないことによると思われる。
【０００５】
上記特許文献１及び２に記載されたものは、勿論その機能を発揮はするが、全体的に構造が複雑にならざるを得ない、等未だ改良の余地がある。
【０００６】
そこで、この発明は、構造が簡単で操作も容易である新規なラッチ機構を提供することを目的としている。
【課題を解決するための手段】
【０００７】
上記の目的を達成するため、請求項１に記載の発明は、引戸の閉鎖時相互に突き当たる引戸の戸先框及び戸枠の一方に装着される箱状のホルダと、他方に装着されるスリット付の受板とを有し、このホルダ内に、引戸走行方向に延在し、受板側の先端に上記受板のスリットに係入可能な鈎部を形成すると共に、後端にリリースレバーを装着したラッチ杆を、その長さ方向に沿う軸線の回りを回動可能に案内し、一方、受板側から見てこのラッチ杆を時計方向或いは反時計方向の一方に付勢し、他方、ホルダ内に、先端にラッチ杆の先端部を収納する偏平部を形成した鞘部材を設け、この鞘部材を、内側にラッチ杆を同軸に収納した状態でラッチ杆の長さ方向に一定量移動可能に案内すると共に受板方向に付勢し、以て、引戸が閉鎖されていない常態において鞘部材を最大限ホルダから突出させ、また、ラッチ杆の鉤部を鞘部材の扁平部に係合させてラッチ杆に回り止めを施し、引戸閉鎖時、ラッチ杆の鉤部をスリット内に挿入させた状態で鞘部材をホルダ内に押し込むことにより、上記鉤部を鞘部材の扁平部から解放して受板の裏側で一定量回動させてラッチ杆を受板に係止し、同時にラッチ杆の後端のリリースレバーを室内側に振り出すようにしたことを特徴とする。
【発明の効果】
【０００８】
上記のように構成された請求項１に記載の発明によるラッチ機構は、鞘部材によりラッチ杆の鈎部を所定の角度位置に保ったまま、鈎部を受板のスリットに係入させ、受板により鞘部材をホルダに押込む動作でラッチ杆を回動させて鈎部を自動的に受板に係合させ、リリースレバーを操作することにより鞘部材を突出させて引戸を解放方向に押動するようにしたので、ラッチ機構の構造が簡単であると共に操作も容易である、という所期の効果を奏する。
【発明を実施するための最良の形態】
【０００９】
引戸閉鎖時、受板が鞘部材をホルダ内に押込む動作を利用して受板のスリットに係入したラッチ杆の鈎部を解放し、以て以て鈎部を自動的に受板に係合させ、引戸を開けるときのリリースレバーの操作を利用して拘束された鞘部材を解放するようにしたので、構造が簡単になり、しかも操作も容易となった。
【実施例１】
【００１０】
以下、この発明の実施例を図面を参照して説明する。
図１において符号１は箱状のホルダを、符号２は受板を夫々示し、図示の実施例においては、ホルダ１は引戸の戸先框に、受板２は引戸閉鎖時戸先框と突き当たる戸枠に装着されるものとする。
【００１１】
なお、ホルダ１が引戸の戸先框に埋設されるとき、その前端面が戸先框の表面と一致するものとする。
【００１２】
ホルダ１の蓋板３の止めねじ４、４を外し、ホルダ１内に収容保持されている後述の部材を展開して示すと図２のようになり、ホルダ１を縦断すると図３に示す如くとなる。
【００１３】
これらの図に示すように、ホルダ１の高さ方向の中央部には有底で引戸の走行方向（図３で左右方向）に延在する案内洞５が、この案内洞５の上下には夫々有底でかつ平行な一対のばね案内洞６、６が形成されている。
【００１４】
上記案内洞５内には、引戸走行方向に延在し、受板側の先端に鈎部を、後端にリリースレバー７を装着したラッチ杆８が、その長さ方向に沿う軸線の回りを回動可能に案内されている。
【００１５】
図示の実施例におけるラッチ杆８は、厚板材を例えばプレスによって打ち抜いた形状で、先端の鈎部は細長いラッチ杆本体の両側に突出してＴ字形に形成されているが、これは片側にのみ突出してＬ字形になったものでも良い。
【００１６】
このラッチ杆８の鈎部は、引戸閉鎖時前記受板２と係合して引戸を戸枠に一時的に係止するもので、この鈎部に対応して、受板２には例えば縦長のスリット９が開口している。
【００１７】
なお、戸枠に装着された受板２の裏側には、後述するようにラッチ杆の鈎部がスリット９と係合したとき鈎部と干渉しないように、図示しない空間部を確保しておくものとする。
【００１８】
また、図示の実施例では、このラッチ杆８は次に述べる鞘部材１１内に収納された状態で、鞘部材１１を介してホルダ１に支持、案内されている。
【００１９】
図２及び図３に示すように、鞘部材１１は、先端にラッチ杆８の先端部を収納する偏平部１１ａとこれに連接された筒部１１ｂとを一体に結合した筒状の部材である。
【００２０】
この鞘部材１１中に、ラッチ杆８の後端部を偏平部１１ａから通すようにしてラッチ杆８を挿入し、鞘部材の筒部１１ｂから後方に突き抜けたラッチ杆８の後端を、リリースレバー７の基端に開口した付番しない連結孔に固く填め合わせ、このようにしてラッチ杆８の後端にリリースレバー７を一体的に垂設する。
【００２１】
ちなみに、ホルダ１の後端部には案内スリット１３（図２参照）が形成されており、リリースレバーの自由端部はこの案内スリット１３に揺動可能に収納されている。
【００２２】
また、ラッチ杆の後端部に突起８ａ、８ａを対称的に突設し、一方、ホルダの案内洞５の後端部で突起８ａの前方にＵ字形の切欠を形成した仕切板１２を挿設し、この仕切板１２によってラッチ杆８の抜け止めを施すと共に、ラッチ杆８の回動を円滑に案内する。
【００２３】
他方、前記鞘部材１１は、偏平部１１ａをホルダの前面開口と摺動可能に係合させ、筒部１１ｂを案内洞５と摺動可能に嵌合させた状態で、ホルダ１において、ラッチ杆８の長さ方向に移動可能に支持、案内する。
【００２４】
また、ホルダ１内の前記ばね収納洞６、６内には、夫々圧縮コイルばねとしての作動ばね１３が弾装されており、鞘部材１１は、この作動ばね１３の弾力により前方に、すなわち受板２に近接する方向に付勢されている。
【００２５】
そのため、図１及び図３に示すように、鞘部材１１はホルダ１の前端面、すなわち、戸先框の表面から突出する。
【００２６】
更にまた、鞘部材の筒部１１ｂの後端部外周面には一対の案内突起１１ｃ、１１ｃが対称的に突設されており、各案内突起１１ｃは、蓋板３（図２参照）或いはホルダの案内洞の内側面（図４参照）に夫々形成された水平方向に細長い案内溝１４に夫々摺動可能に係合している。
【００２７】
そのため、鞘部材１１に外力が作用しない常態における鞘部材の突出量、及び後述するように鞘部材１１が受板２によってホルダ内に押込まれるときの最大ストロークが夫々規定される。
【００２８】
また、図２及び図３に示すように、ホルダの底面に開口したばね孔１７（図３参照）内に収納され、リリースレバー７の基端のばね掛け突起７ａとばね掛けピン１５との間に弾装された圧縮コイルばねとしてのラッチばね１６の弾力により、ラッチ杆８及びこれと一体に結合されたリリースレバー７は図４において時計方向に付勢されている。
【００２９】
しかしながら、鞘部材１１に外力が作用しない常態においては、鞘部材が受板方向に前進してその偏平部１１ａがラッチ杆８の鈎部と形状係合をするので、図４に示すように、ラッチ杆８はほぼ垂直な角度位置に保持され、リリースレバー７は図４に示す角度位置をとる。
【００３０】
上記のように構成されたこの発明の一実施例によるラッチ機構は、引戸が開いているときには、図１及び図３に示すように、受板のスリット９とラッチ杆８の先端鉤部が角度的に整合している。
【００３１】
この状態で引戸が閉鎖方向（図１でＡ方向）に移動すると、先ず鞘部材の偏平部の先端開口端縁が受板２の表面に当接する。
【００３２】
更に引戸が閉鎖方向に移動すると、図３から明らかなように、ラッチ杆の先端の鉤部を覆っていた鞘部材の偏平部１１ａがラッチ杆とは独立にホルダ１内に押し込まれていく。
【００３３】
その結果、引戸の閉鎖方向への更なる移動により、ラッチ杆８は引戸と一体に図１の矢印Ａ方向に進行し、受板２のスリット９を挿通して受板２の裏側に突き抜ける。
【００３４】
すると、鞘部材の偏平部１１ａとラッチ杆８の鉤部との係合が外れ、偏平部によって図４に示す角度位置に保持されていたラッチ杆８が自由になる結果、前記ラッチばね１６（図２及び図３参照）の弾力により、受板２側から見てラッチ杆８が時計方向に所定の角度回動する（図５参照）。
【００３５】
この所定の角度は、図示の実施例では、リリースレバー７の自由端部が蓋板３の付番しないスリットの底部と当接することにより一義的に定まる。
【００３６】
図５に示す状態では、ラッチ杆８の鉤部が受板の裏側でスリット９と斜交するので、引戸と一体のラッチ杆が受板２に係止されることになり、引戸は閉鎖位置にロックされる。
【００３７】
引戸を再び開放するには、図５に示すように通常室内側に突出するリリースレバー７の自由端部を室外側に押し、図１の角度位置に戻す。
【００３８】
すると、ラッチ杆８の鉤部が図４の角度位置に復帰すると同時に、作動羽１３、１３の弾力により鞘部材の偏平部１１ａがホルダ１から突出し、受板２からの反力により引戸を開放方向に押動すると共に、ラッチ杆の鉤部１１ａを覆ってラッチ杆８の回動の自由を奪う。
【００３９】
以降、引戸は受板２から自由になるので、取っ手に手を掛けて引戸を開ければ引戸を開放することができる。
【実施例２】
【００４０】
なお、図示の実施例ではホルダ１を引戸側に埋設するものとしたが、これとは反対に、ホルダ１を戸枠側に、受板２を戸先框側に夫々装着しても良いことは言うまでもない。
【図面の簡単な説明】
【００４１】
【図１】ホルダと受板とを取り出して示す外観斜視図で、引戸が開いている場合を示す。
【図２】ホルダ側の諸構成部材を展開して示す外観斜視図。
【図３】ホルダの縦断面図。
【図４】受板側から見たホルダの正面図。
【図５】図１と同様の外観斜視図で、引戸の閉鎖及びロック状態を示す。
【符号の説明】
【００４２】
１  ホルダ
２  受板
３  蓋板
４  止めねじ
５  案内洞
６  ばね収納洞
７  リリースレバー
８  ラッチ杆
９  スリット
１１  鞘部材
１１ａ  偏平部
１１ｂ  筒部
１２  仕切板
１３  作動ばね
１４  案内溝
１５  ばね掛けピン
１６  ラッチばね
１７  ばね孔
【図１】
0004692993.tif 000002
【図２】
0004692993.tif 000003
【図３】
0004692993.tif 000004
【図４】
0004692993.tif 000005
【図５】
0004692993.tif 000006